(57)【要約】      （修正有）【課題】火災報知システムとカラオケ施設とを簡単且つ容易に連携して火災発生時にカラオケ施設の利用に妨げられることなく確実に火災警報が各部屋に行き届くようにする。【解決手段】送信ユニット２０は火災受信機１０の警報動作を検出して停止制御信号を繰り返し無線送信し、火災受信機１０の警報復旧動作を検出して停止解除信号を繰り返し無線送信する。中継ユニット２２は必要に応じて設けられ、送信ユニット２０からの停止制御信号又は停止解除信号を受信して無線送信する。受信ユニット２６は、カラオケ装置２８毎に設置され、送信ユニット２０又は中継ユニット２２から停止制御信号を受信した際に、電源リレーユニット３０を駆動してカラオケ装置２８に対する電源供給を遮断し、停止解除信号を受信した際に遮断した電源供給を復旧する。【選択図】図１
0003141342.tif 000002
【実用新案登録請求の範囲】
【請求項１】
火災感知器又は発信機からの火災信号を火災受信機で受信して火災を警報する部屋毎に分けてカラオケ装置が設置されたカラオケ施設の火災警報システムに於いて、
前記火災受信機の警報動作を検出して停止制御信号を繰り返し無線送信し、前記火災受信機の警報復旧動作を検出して停止解除信号を繰り返し無線送信する送信ユニットと、
部屋毎に設置されたカラオケ装置に設けられ、前記送信ユニットから停止制御信号を受信した際に前記カラオケ装置に対する電源供給を遮断し、前記送信ユニットから停止解除信号を受信した際に前記遮断した電源供給を復旧する受信ユニットと、
を備えたことを特徴とするカラオケ施設の火災報知システム。
【請求項２】
請求項１記載のカラオケ施設の火災報知システムに於いて、更に、前記送信ユニットからの停止制御信号又は停止解除信号を受信して無線送信する中継ユニットを設け、
前記受信ユニットは、前記送信ユニットまたは中継ユニットから停止制御信号を受信した際に、前記カラオケ装置に対する電源供給を遮断し、前記送信ユニット又は中継ユニットから停止解除信号を受信した際に、前記遮断した電源供給を復旧することを特徴とするカラオケ施設の火災報知システム。
【請求項３】
請求項１記載のカラオケ施設の火災報知システムに於いて、前記送信ユニットは、前記火災受信機から引き出された信号線の信号電圧が所定の高電圧から所定の低電圧に変化したことにより前記火災受信機の警報動作を検出して前記停止制御信号を無線送信し、前記信号線の信号電圧が前記低電圧から前記高電圧に変化したことにより前記火災受信機の警報解除動作を検出して前記停止解除信号を無線送信することを特徴とするカラオケ施設の火災報知システム。
【請求項４】
請求項１記載のカラオケ施設の火災報知システムに於いて、前記送信ユニットは、前記火災受信機から引き出された信号線の信号電圧が所定の低電圧から所定の高電圧に変化したことにより前記火災受信機の警報動作を検出して前記停止制御信号を無線送信し、前記信号線の信号電圧が前記高電圧から前記低電圧に変化したことにより前記火災受信機の警報解除動作を検出して前記停止解除信号を無線送信することを特徴とするカラオケ施設の火災報知システム。
【請求項５】
請求項１記載のカラオケ施設の火災報知システムに於いて、前記送信ユニットは、前記火災受信機の警報動作または警報復旧動作を検出した際に、一定時間に亘り前記停止制御信号又は停止解除信号を繰り返し無線送信することを特徴とするカラオケ施設の火災報知システム。
【請求項６】
請求項１記載のカラオケ施設の火災報知システムに於いて、前記送信ユニットは、前記火災受信機の警報動作または警報復旧動作を検出した際に、前記停止制御信号又は停止解除信号を予め定めた回数だけ繰り返し無線送信することを特徴とするカラオケ施設の火災報知システム。
【考案の詳細な説明】
【技術分野】
【０００１】
本考案は、部屋毎に分けてカラオケ装置が設置されたカラオケ施設の火災警報システムに関する。
【背景技術】
【０００２】
従来、カラオケ施設を対象とした火災報知システムにあっては、部屋毎に設置されたカラオケ端末装置を集中管理するカラオケ集中監視装置に火災報知システムを搭載し、火災発生が検出されるとカラオケ集中監視装置で火災発生場所を判定すると共に各部屋の最適な非難経路を決定し、これを各部屋のカラオケ端末装置に送信し、火災・火災発生場所と避難経路をモニタ画面に表示するようにしている。
【特許文献１】特開平７−２００９７４号公報
【考案の開示】
【考案が解決しようとする課題】
【０００３】
しかしながら、このような従来のカラオケ施設を対象とした火災報知システムにあっては、カラオケ集中監視装置と火災報知システムの火災受信機とを相互接続し、更に、カラオケ集中監視装置に火災発生場所及び部屋毎の避難経路を判断決定する機能を持たせなければならないため、利用者の多い大型のカラオケ施設については好適であるが、部屋数が比較的少ない中小規模のカラオケ施設については、部屋毎に独立にカラオケ装置を設置している場合もあり、集中監視方式の適用はコスト的に無理がある。
【０００４】
また既存のカラオケ施設にあっては、火災報知システムとカラオケシステムは独立した設備として設置されており、火災報知システムによる火災検出信号をカラオケシステムに伝送して火災報知を行うには、システムの大幅な改装が必要となり、簡単に実現することは困難である。
【０００５】
本考案は、火災報知システムとカラオケ施設を簡単且つ容易に連携して火災発生時にカラオケ施設の利用に妨げられることなく確実に火災警報が各部屋に行き届くようにしたカラオケ施設の火災警報システムを提供することを目的とする。
【課題を解決するための手段】
【０００６】
本考案は、火災感知器または発信機からの火災信号を火災受信機で受信して火災を警報するカラオケ施設の火災警報システムに於いて、
火災受信機の警報動作を検出して停止制御信号を繰り返し無線送信し、火災受信機の警報復旧動作を検出して停止解除信号を繰り返し無線送信する送信ユニットと、
部屋毎に設置されたカラオケ装置に設けられ、送信ユニットから停止制御信号を受信した際にカラオケ装置に対する電源供給を遮断し、送信ユニットから停止解除信号を受信した際に遮断した電源供給を復旧する受信ユニットと、
を備えたことを特徴とする。
【０００７】
本考案によるカラオケ施設の火災報知システムは、更に、送信ユニットからの停止制御信号又は停止解除信号を受信して無線送信する中継ユニットを設け、
受信ユニットは、送信ユニットまたは中継ユニットから停止制御信号を受信した際にカラオケ装置に対する電源供給を遮断し、送信ユニット又は中継ユニットから停止解除信号を受信した際に遮断した電源供給を復旧する。
【０００８】
送信ユニットは、火災受信機から引き出された信号線の信号電圧が所定の高電圧から所定の低電圧に変化したことにより火災受信機の警報動作を検出して停止制御信号を無線送信し、信号線の信号電圧が低電圧から高電圧に変化したことにより火災受信機の警報解除動作を検出して停止解除信号を無線送信する。
【０００９】
送信ユニットは、火災受信機から引き出された信号線の信号電圧が所定の低電圧から所定の高電圧に変化したことにより火災受信機の警報動作を検出して停止制御信号を無線送信し、信号線の信号電圧が高電圧から前記低電圧に変化したことにより火災受信機の警報解除動作を検出して停止解除信号を無線送信するようにしても良い。
【００１０】
送信ユニットは、火災受信機の警報動作または警報復旧動作を検出した際に、一定時間に亘り停止制御信号又は停止解除信号を繰り返し無線送信する。
【００１１】
送信ユニットは、火災受信機の警報動作または警報復旧動作を検出した際に、停止制御信号又は停止解除信号を予め定めた回数だけ繰り返し無線送信するようにしても良い。
【考案の効果】
【００１２】
本考案によれば、火災報知システムとカラオケ装置を、送信ユニット、中継ユニット及び受信ユニットで構成される無線回線を介して連携させることで、火災報知システム側の改装や変更及びカラオケ装置側の改装や変更を必要最小限に抑えて両者を簡単且つ容易に連携させることができる。
【００１３】
また火災受信機の警報動作を検出した場合は、送信ユニット、中継ユニット及び受信ユニットで構成される無線回線を介して停止制御信号を送り、カラオケ装置に対する電源供給を強制的に遮断することでカラオケ音響を停止し、これによって火災受信機により動作した非常ベルや音響警報などの火災警報を各部屋で確実に聞くことができ、火災警報により火災発生を速やかに知って迅速に避難行動をとることができ、火災警報に気付かずに大きな惨事を招いてしまうことを確実に防止できる。
【００１４】
また、誤報により火災受信機が動作したような場合には、誤報であることを確認して火災受信機で復旧動作を行うと、警報復旧動作に伴って送信ユニット、中継ユニット及び受信ユニットで構成される無線回線を介して停止解除信号が送信され、火災警報動作により遮断されたカラオケ装置の電源が復旧して再び利用可能となり、部屋毎に人手により電源復旧操作などを行う必要がなく、運用管理が容易にできる。
【００１５】
また、火災受信機側に設置した送信ユニットから各部屋のカラオケ装置毎に設置された受信ユニットとの間に無線回線を構築して停止制御信号又は停止復旧信号を無線送信しているため、無線伝播経路に壁、ドア、仕切りなどの様々な伝播障害物が存在することになるが、このような伝播障害物を回避して無線伝播経路が確実に構築されるように必要に応じて１又は複数の中継ユニットを配置することにより、多種多様な伝播障害物が存在する環境であっても、確実に無線伝送により火災報知システムとカラオケ装置との連携をとることができる。
【００１６】
また、システムの設置時に中継ユニットを適切に配置して送信ユニット、中継ユニット及び受信ユニットで構成される無線回線が確立されていたとしても、日常的なカラオケ施設の営業にあっては、一時的な要因により無線回線の伝送品質が劣化する場合もあるが、本考案にあっては、送信ユニットが停止制御信号又は停止解除信号を一定時間の間、或いは予め定めた回数だけ繰り返し送信しており、これによって一時的な通信障害などにより信号伝播ができなくなることを防止し、無線回線により火災報知システム側からカラオケ装置側に確実に信号を伝送して動作させることができ、高い信頼性を確保することができる。
【考案を実施するための最良の形態】
【００１７】
図１は本考案によるカラオケ施設の火災報知システムの実施形態を示した説明図である。図１において、カラオケ店舗などのカラオケ施設にあっては、火災報知システムとして火災受信機１０が管理人室などに設置されており、火災受信機１０の回線端子１１からは建物内に感知器回線１２が引き出され、そこに火災感知器１４を接続している。また火災受信機１０の回線端子１５からは発信機回線１６が引き出され、そこに押ボタン式の発信機１８を接続している。
【００１８】
火災受信機１０は、火災による熱もしくは煙を受けて火災感知器１４が火災を検出すると、感知器回線１２を低インピーダンスに短絡して発報電流を流し、これにより火災検出信号が火災受信機１０に送られ、図示しない非常ベルもしくは音響警報などにより火災警報を出し、火災受信機１０自体においては火災警報表示を行う。
【００１９】
火災受信機１０から引き出された感知器回線１２は通常監視時は回線電圧が例えばＤＣ２４ボルトであるが、火災感知器１４が発報すると略ゼロボルト付近の低電圧に低下する。
【００２０】
また火災を発見した際に発信機１８の非常ボタンを押すことにより、火災信号が火災受信機１０に送られ、この場合にも火災受信機１０において火災警報が行われると共に、警報ベルの鳴動や音響警報が出されることになる。発信機１８の非常釦を押すと内蔵したスイッチがオンし、感知器回線１６を低インピーダンスに短絡して電流を流し、これにより火災信号が火災受信機１０に送られる。火災受信機１０から引き出された発信機回線１６は通常監視時は回線電圧が例えばＤＣ２４ボルトであるが、発信機１８の非常釦を押すと略ゼロボルト付近の低電圧に低下する。
【００２１】
このようなカラオケ施設における火災報知システムに対し、カラオケルーム２４にはカラオケ装置２８が設置されている。カラオケ装置２８と火災報知システムを連結させるため、本実施形態にあっては、送信ユニット２０、中継ユニット２２、受信ユニット２６、更に電源リレーユニット３０を設けている。
【００２２】
送信ユニット２０は火災受信機１０の回線端子１１，１５に接続され、火災受信機１０における火災感知器１４または発信機１８からの火災信号の受信に基づく警報動作を回線電圧２４ボルトからの低下から検出して、カラオケ装置２８を停止させるための停止制御信号を繰り返し無線送信する。
【００２３】
また警報動作を検出して停止制御信号を無線送信した後に、火災受信機１０において管理者などが行う復旧操作に伴う警報復旧動作を回線電圧２４ボルトに回復することを検出し、停止解除信号を繰り返し無線送信し、カラオケ装置２８を元の使用可能状態に戻す。
【００２４】
送信ユニット２０における信号の繰り返し無線送信は、予め定めた一定時間の間、同じ停止制御信号または停止解除信号を繰り返し送信する方式、または予め定めた回数ｎ回だけ停止制御信号または停止解除信号を繰り返し送信する方式のいずれかとする。
【００２５】
中継ユニット２２は、送信ユニット２０からカラオケルーム２４に設置している受信ユニット２６に対する無線回線を構築する適宜の伝播経路に配置され、送信ユニット２０から停止制御信号または停止解除信号を受信した際に、同じ停止制御信号または停止解除信号を無線送信する。
【００２６】
ここで、カラオケ施設が小規模で送信ユニット２０からの電波が確実に受信ユニット２６に届くような場合には、中継ユニット２２の設置は必要ない。
【００２７】
カラオケルーム２４に設置された受信ユニット２６は、送信ユニット２０または中継ユニット２２からの停止制御信号を受信した際に、電源リレーユニット３０を動作して、カラオケ装置２８に対する電源供給を遮断する。
【００２８】
このカラオケ装置２８に対する電源供給の遮断後に、受信ユニット２６が送信ユニット２０または中継ユニット２２から停止解除信号を受信した際には、電源リレーユニット３０を元の状態に作動して、カラオケ装置２８に対し遮断した電源供給を復旧して動作可能とする。
【００２９】
このような図１のカラオケ施設における火災報知システムによれば、万一、火災が発生し、火災を発見した人が発信機１８の押しボタン操作を行って、火災受信機１０で火災警報動作が行われ、地区ベルなどの鳴動が行われると、発信機回線１６におけるＤＣ２４ボルトが０ボルト付近に低下し、この回線電圧の低下により送信ユニット２０が火災受信機１０の警報動作を検出し、停止制御信号を繰り返し無線送信する。
【００３０】
火災感知器１４が火災を検出して発報し、火災受信機１０で火災警報動作が行われた場合にも、感知器回線１２におけるＤＣ２４ボルトが０ボルト付近に低下し、この回線電圧の低下により送信ユニット２０が火災受信機１０の警報動作を検出し、停止制御信号を繰り返し無線送信する。
【００３１】
送信ユニット２０から無線送信された警報停止信号は、中継ユニット２２を経由し、または直接カラオケルーム２４に設置している受信ユニット２６で受信される。受信ユニット２６は警報停止信号を受信すると、電源リレーユニット３０のリレーを動作して、カラオケ装置２８に対する電源供給を強制的に遮断する。
【００３２】
このため、カラオケルーム２４で演奏中のカラオケ装置２８であっても、強制的な電源遮断により音響出力が停止し、火災受信機１０による警報動作により鳴動している非常ベルや非常放送などを、カラオケ装置２８による音響出力により妨げられることなく、カラオケルーム２４の利用者は確実に聞き、速やかにカラオケ施設から避難することができる。
【００３３】
一方、火災受信機１０が誤報などにより動作した場合には、火災でないことを確認した後に、火災受信機１０において復旧スイッチなどの操作により復旧動作が行われる。この火災受信機１０による復旧動作が行われると、発信機１８の操作で低下していた発信機回線１６の回線電圧はＤＣ２４ボルトに回復することから、この回線電圧の回復を送信ユニット２０において火災受信機１０の警報復旧動作として検出し、停止解除信号を繰り返し無線送信する。
【００３４】
送信ユニット２０からの停止解除信号は、直接または中継ユニット２２を経由してカラオケルーム２４の受信ユニット２６で受信され、受信ユニット２６は電源遮断状態に動作した電源リレーユニット３０を再び通常状態に復旧し、これによってカラオケ装置２８に対する電源供給が回復し、カラオケ装置２８を利用することが可能となる。
【００３５】
図２（Ａ）は図１の送信ユニットの実施形態を示したブロック図である。図２において、送信ユニット２０は、回線電圧検出部３２ａ，３２ｂ、ＭＰＵ３６、エンコード回路４２、送信回路４４及び電源部４８で構成される。ＭＰＵ３６には、プログラムの実行により実現される機能として停止制御部３８と停止解除部４０が設けられている。また電源部４８に対しては電源パック５０が接続され、プラグ５２によるＡＣ１００ボルトを整流して、例えばＤＣ６ボルトに変換して電源部４８に直流電源を供給している。
【００３６】
回線電圧検出部３２ａは、図１に示したように、火災受信機１０から感知器回線１２を引き出している回線端子１１に接続され、回線電圧Ｖを入力している。図２（Ｂ）は図２（Ａ）の回線電圧検出部３２ａの詳細であり、コンパレータ３４と基準電圧源３５を備えている。コンパレータ３４は基準電圧源３５によりプラス入力端子に予め定めた閾値電圧Ｖｔｈ例えばＶｔｈ＝１２ボルトを設定してマイナス入力端子の回線電圧Ｖと比較している。
【００３７】
通常監視時、回線電圧Ｖが閾値電圧Ｖｔｈ以上であることから、コンパレータ３４の出力はＬレベルとなっている。火災感知器１４の火災発報または発信機１８の押し釦操作により火災受信機１０が警報動作すると、回線電圧Ｖが閾値電圧Ｖｔｈを下回り、このためコンパレータ３４の出力がＨレベルに立ち上がり、警報動作検出信号をＭＰＵ３６に出力する。
【００３８】
ＭＰＵ３６の停止制御部３８は、回線電圧検出部３２ａからの警報動作検出信号の入力があると、所定のデータフォーマット構成を持つ停止制御データをエンコード回路４２に繰り返し出力し、エンコード回路４２で例えばＰＳＫ変換もしくはＦＳＫ変換などを行った後、送信回路４４で特定省電力無線に割り当てられた周波数帯、例えば４００ＭＨｚ帯の特定周波数を使用して１０ミリワット以下の送信電力に変換し、アンテナ４６から停止制御信号を繰り返し無線送信する。
【００３９】
発信機回線１６を引き出した回線端子１５を接続した回線電圧検出部３２ｂも同様に図２（Ｂ）の回路構成を備えている。火災受信機１０の警報動作後に復旧操作が行われると、コンパレータ３４に入力する回線電圧ＶがＤＣ２４ボルトに回復して閾値電圧Ｖｔｈ上回り、コンパレータ３４の出力がＨレベルからＬレベルに立下り、復旧動作検出信号をＭＰＵ３６に出力し、停止解除部４０により所定のフォーマット構成を持つ停止解除データをエンコード回路４２に繰り返し出力し、同様にＰＳＫ変調もしくはＦＳＫ変調を行った後に、送信回路４４で例えば４００ＭＨｚ帯の特定周波数を使用して１０ミリワット以下の信号に変換し、アンテナ４６から停止解除信号を繰り返し無線送信する。
【００４０】
ここで、ＭＰＵ３６の停止制御部３８は、回線電圧検出部３２ａから警報動作検出信号の入力があると、タイマを起動し、タイマに設定した一定時間例えば１０秒間に亘り、停止制御データをエンコード回路４２に出力して変換した後、送信回路４４からアンテナ４６により繰り返し無線送信させる。
【００４１】
ＭＰＵ３６の停止解除部４０は、回線電圧検出部３２ｂから復旧動作検出信号の入力があると、同様にタイマを起動し、タイマに設定した一定時間例えば１０秒間に亘り、受停止解除データをエンコード回路４２に出力して変換した後、送信回路４４からアンテナ４６により繰り返し無線送信させる。
【００４２】
また、ＭＰＵ３６の停止制御部３８の別の形態としては、回線電圧検出部３２ａから警報動作検出信号の入力があると、予め定めたｎ回に亘り、停止制御データをエンコード回路４２に出力して変換した後、送信回路４４からアンテナ４６により繰り返し無線送信させても良い。
【００４３】
同様に、ＭＰＵ３６の停止解除部４０は、回線電圧検出部３２ｂから復旧動作検出信号の入力があると、同様に予め定めたｎ回に亘り、停止解除データをエンコード回路４２に出力して変換した後、送信回路４４からアンテナ４６により繰り返し無線送信させても良い。
【００４４】
図３は本実施形態で使用する停止制御信号と停止解除信号のフォーマットを示した説明図である。図３（Ａ）は停止制御信号５４であり、停止コマンド、送信先アドレス、送信元アドレス、その他で構成される。
【００４５】
図３（Ｂ）は停止解除信号５６であり、復旧コマンド、送信先アドレス、送信元アドレス、その他で構成されている。
【００４６】
なお、図３の停止制御信号５４及び停止解除信号５６にあっては、送信先アドレスと送信元アドレスを使用しているが、送信ユニット２０に対し複数の中継ユニット２２及び受信ユニット２６に対し、１対ｎのブロードキャスト送信を行うことから、アドレスを必ずしも設けなくともよい。
【００４７】
図４は図１の中継ユニット２２の実施形態を示した説明図である。図４において、中継ユニット２２は、アンテナ５８、受信回路６０、デコード回路６２、ＭＰＵ６４、エンコード回路７０、送信回路７２、電源部７４、電源パック７５及びプラグ７７で構成される。ＭＰＵ６４には、プログラムにより実行される機能として中継処理部６６が設けられている。
【００４８】
中継ユニット２２はアンテナ５８により、図１に示した送信ユニット２０からの停止制御信号または停止解除信号を受信すると、受信回路６０で復調した後、デコード回路６２で停止制御データまたは停止解除データに変換し、ＭＰＵ６４に出力する。
【００４９】
ＭＰＵ６４の中継処理部６６は、デコード回路６２から停止制御データまたは停止解除データの受信入力が得られると、受信した停止制御データまたは停止解除データをエンコード回路７０に出力して変換した後、送信回路７２からアンテナ５８により無線送信する。
【００５０】
図５は図１の受信ユニット２６及び電源リレーユニット３０の実施形態をカラオケ装置と共に示したブロック図である。図５において、受信ユニット２６はアンテナ７６、受信回路７８、デコード回路８０、ＭＰＵ８２、リレー駆動回路８８、電源部９０で構成され、外部にプラグ９４を備えた電源パック９２を接続している。
【００５１】
受信回路７８はアンテナ７６で受信した送信ユニット２０または中継ユニット２２からの停止制御信号または停止解除信号を復調し、デコード回路８０で停止制御データまたは停止解除データに変換した後、ＭＰＵ８２に出力する。ＭＰＵ８２には、プログラムの実行により実現される機能として電源遮断部８４と電源復旧部８６が設けられている。
【００５２】
電源遮断部８４はデコード回路８０から停止制御データが入力した際に動作し、リレー駆動回路８８により電源リレーユニット３０に設けたリレー９６を作動して、図示のようにリレー接点９８を開き、コンセント１００からカラオケ装置２８に供給している商用ＡＣ１００ボルトの供給を遮断する。
【００５３】
ＭＰＵ８２の電源復旧部８６は、デコード回路８０から停止解除データが入力した際に、リレー駆動回路８８の復旧動作を行って、電源リレーユニット３０に設けているリレー９６を非作動状態に復旧させ、リレー接点９８をオン状態に復旧し、カラオケ装置２８に対する商用ＡＣ１００ボルトの供給を回復させる。
【００５４】
カラオケ装置２８にはディスプレイ１０２及びマイク１０４が接続されている。カラオケ装置２８としては、通信カラオケ装置であってもよいし、ハードディスクドライブに楽曲がすべて格納されたスタンドアローンのカラオケ装置であってもよい。また、カラオケルームごとに単独に設置されたカラオケ装置であってもよいし、センタ装置に対し接続されて集中管理されるカラオケ装置であってもよい。
【００５５】
図６は図２の送信ユニットによる送信処理を示したフローチャートである。図６において、ステップＳ１で初期化処理を行った後、ステップＳ２で回線電圧Ｖが閾値電圧Ｖｔｈ未満か否かチェックしており、通常状態にあっては、回線電圧Ｖは閾値電圧Ｖｔｈ以上であることから、ステップＳ２の処理を繰り返している。
【００５６】
発信機１８の押しボタン操作などにより火災受信機１０が火災警報動作を行うと、発信機回線１６の回線電圧Ｖは閾値電圧Ｖｔｈ以下となり、これを判別してステップＳ３に進み、停止制御信号を送信する。
【００５７】
続いてステップＳ４でタイマ起動により一定時間の経過をチェックしており、一定時間を経過するまではステップＳ３の停止制御信号の送信を繰り返す。ステップＳ４で一定時間経過が判別されると、ステップＳ５で回線電圧Ｖは閾値電圧Ｖｔｈ以上か否か監視しており、もし火災受信機１０の復旧動作が行われると、回線電圧Ｖは閾値電圧Ｖｔｈ以上になることから、ステップＳ６に進み、停止解除信号を送信する。
【００５８】
この場合にも、ステップＳ７でタイマ起動により一定時間の経過を判別しており、一定時間を経過するまではステップＳ６の停止解除信号の送信を繰り返す。ステップＳ７で一定時間を経過すると、再びステップＳ２に戻ることになる。
【００５９】
図７は図２の送信ユニットによる送信処理の他の実施形態を示したフローチャートであり、この処理にあっては、予め定めたｎ回、停止制御信号または停止解除信号を送信することを特徴とする。
【００６０】
図７において、ステップＳ８で初期化処理を行った後、ステップＳ９で回線電圧Ｖが閾値電圧Ｖｔｈ未満か否かチェックしており、通常状態にあっては、回線電圧Ｖは閾値電圧Ｖｔｈ以上であることから、ステップＳ８の処理を繰り返している。
【００６１】
発信機１８の押しボタン操作などにより火災受信機１０が火災警報動作を行うと、発信機回線１６の回線電圧Ｖは閾値電圧Ｖｔｈ以下となり、これを判別してステップＳ１０に進み、停止制御信号を送信する。
【００６２】
続いてステップＳ１１で送信回数がｎ回に達したか否かチェックしており、ｎ回に達するまで、ステップＳ１０の停止制御信号の送信を繰り返す。ステップＳ１１で一定時間経過が判別されると、ステップＳ１２で回線電圧Ｖは閾値電圧Ｖｔｈ以上か否か監視しており、火災受信機１０の復旧動作が行われると、回線電圧Ｖは閾値電圧Ｖｔｈ以上になることから、ステップＳ１３に進み、停止解除信号を送信する。
【００６３】
この場合にも、ステップＳ１４で送信回数がｎ回に達したか否かチェックしており、ｎ回に達するまで、ステップＳ１３の停止制御信号の送信を繰り返し、ｎ回の送信を判別すると再びステップＳ９に戻ることになる。
【００６４】
図８は図４の中継ユニットによる中継処理を示したフローチャートである。図８において、ステップＳ１５で初期化処理を行った後、ステップＳ１６で停止制御信号の受信の有無をチェックしている。停止制御信号を受信すると、ステップＳ１７に進み、停止制御信号を送信する。
【００６５】
続いてステップＳ１８で停止解除信号の受信の有無をチェックしており、停止解除信号の受信を判別すると、ステップＳ１９で停止解除信号を送信し、再びステップＳ１５に戻ることになる。
【００６６】
図９は図５の受信ユニットによる受信処理を示したフローチャートである。図９の受信処理は、ステップＳ２０で初期化処理を行った後、ステップＳ２１で停止制御信号の受信の有無をチェックしており、停止制御信号を受信すると、ステップＳ２２でカラオケ装置に対する電源遮断動作を行う。続いてステップＳ２３で停止解除信号の受信の有無をチェックしており、停止解除信号を受信すると、ステップＳ２４でカラオケ装置に対する電源復旧動作を行うことになる。
【００６７】
図１０は本考案によるカラオケ施設の火災報知システムの他の実施形態を示した説明図であり、この実施形態にあっては、火災受信機１０の移報端子からの信号回線に送信ユニット２０を接続するようにしたことを特徴とする。
【００６８】
図１０において、火災受信機１０は火災感知器１４または発信機１８から火災信号を受信して火災警報動作を行った際に、外部に対し移報信号を出力する移報端子１０６ａ、１６ｂを備えている。
【００６９】
移報端子１０６ａ，１０ｂに対しては火災受信機１０の移報回路１１０が接続される。移報回路１１０は電源Ｖｃを移報リレー接点１１２を介して移報端子１０６ａに接続し、更に移報端子１０６ｂをアース接続している。移報端子１０６ａ，１０６ｂからは移報回線１０８が引き出され、送信ユニット２０を接続している。
【００７０】
移報回路１１０は通常監視時は図示しない移報リレーを非作動とすることでリレー接点１１２を開いており、このため移報端子１０６ａ，１０６ｂからの移報回線１０８の回線電圧はゼロボルトである。火災受信機１０で火災検出動作が行われると、図示しない移報リレーが作動し、移報リレー接点１１２が閉じ、電源電圧ＶｃによるＤＣ２４ボルトの移報信号（有電圧信号）が移報回線１０８に出力され、回線電圧が増加する。
【００７１】
そこで、火災受信機１０の移報端子１０６ａ，１０６ｂに信号回線１０８を介して送信ユニット２０を接続して、火災受信機１０の警報動作と警報復旧動作を検出し、停止制御信号または停止解除信号を繰り返し無線送信させる。
【００７２】
図１１（Ａ）は図１０の送信ユニット２０の実施形態であり、図２（Ａ）の実施形態と基本的に同じであるが、      移報回線１０８に対し単一の回線電圧検出部３２を接続している。
【００７３】
回線電圧検出部３２は図１１（Ｂ）に示すように、基準電圧源３５をコンパレータ３４のマイナス入力端子に接続し、回線電圧Ｖをプラス入力端子に接続しており、これは図２（Ｂ）とは逆の接続になる。
【００７４】
このため、火災受信機１０の火災検出動作により移報リレーが動作して移報回路１１０の移報リレー接点１１２が閉じると、回線電圧Ｖは電源電圧Ｖｃに対応したＤＣ２４ボルトに増加し、コンパレータ３４の出力がＨレベルに立ち上がり、ＭＰＵ３６の停止制御部３８の処理により停止制御信号を繰り返し無線送信させる。
【００７５】
また火災受信機１０の復旧操作により移報リレー接点１１２が開いて回線電圧ＶがＤＣ２４ボルトから０ボルトへ低下すると、この回線電圧の低下を検出してコンパレータ３４の出力がＬレベルに立ち下がり、ＭＰＵ３６の停止解除部４０により停止解除信号を繰り返し無線送信させる。
【００７６】
なお、図１０の実施形態において、送信ユニット２０以外の中継ユニット２２、受信ユニット２６、電源リレーユニット３０、カラオケ装置２８側の構成は、図１の実施形態と同じである。
【００７７】
図１２は図１０の実施形態に設けた送信ユニット２０による送信処理を示したフローチャートである。図１２の送信処理において、ステップＳ２５で初期化処理を行った後、ステップＳ２６で移報端子１０６ａ，１０６ｂに接続した信号回線１０８の回線電圧Ｖが閾値電圧Ｖｔｈ以上か否かチェックし、移報信号の出力により閾値電圧Ｖｔｈ以上となった場合には、火災受信機１０の警報動作であることを検出し、ステップＳ２７で停止制御信号を送信する。
【００７８】
続いてステップＳ２８でタイマ起動により一定時間の経過をチェックしており、一定時間を経過するまではステップＳ２７の停止制御信号の送信を繰り返す。ステップＳ２８で一定時間経過が判別されると、ステップＳ２９で回線電圧Ｖが閾値電圧Ｖｔｈ未満か否かチェックする。
【００７９】
火災受信機１０で復旧動作が行われると、移報信号の出力が断たれ、回線電圧ＶがそれまでのＤＣ２４ボルトから０ボルトに下がることから、これをステップＳ２９で判別し、ステップＳ３０に進み、停止解除信号を送信する。
【００８０】
この場合にも、ステップＳ３１でタイマ起動により一定時間の経過を判別しており、一定時間を経過するまではステップＳ３０の停止解除信号の送信を繰り返す。ステップＳ３１で一定時間を経過すると、再びステップＳ２６に戻ることになる。
【００８１】
図１３は本考案によるカラオケ施設の火災報知システムの他の実施形態を示した説明図であり、この実施形態にあっては、無電圧の移報信号を出力する火災受信機１０の移報端子からの信号回線に送信ユニット２０を接続したことを特徴とする。
【００８２】
図１３において、火災受信機１０は火災感知器１４または発信機１８から火災信号を受信して火災警報動作を行った際に、外部に対し無電圧の移報信号を出力する移報端子１０６ａ、１０６ｂを備えている。
【００８３】
移報端子１０６ａ，１０ｂに対しては火災受信機１０の移報回路１１０が接続される。移報回路１１０には移報リレー接点１１２が設けられ、移報端子１０６ａ、１０６ｂ間に接続している。移報端子１０６ａ，１０６ｂからは移報回線１０８が引き出され、送信ユニット２０を接続している。
【００８４】
移報回路１１０は通常監視時は図示しない移報リレーを非作動とすることでリレー接点１１２を開いており、このため移報端子１０６ａ，１０６ｂからの移報回線１０８はオープン状態となっている。火災受信機１０で火災検出動作が行われると、図示しない移報リレーが作動し、移報リレー接点１１２が閉じ、移報回線１０８を短絡する。
【００８５】
図１４は（Ａ）は図１３の送信ユニット２０の実施形態であり、図２（Ａ）の実施形態と基本的に同じであるが、移報回線１０８に対し単一の回線電圧検出部３２を接続している。
【００８６】
送信ユニット２０は、図１４（Ｂ）に示すように、コンパレータ３４と基準電圧源３５を備えるが、マイナス入力端子に対する移報回線１８の接続ラインを送信ユニット２０の電源電圧Ｖｃに抵抗３７を介してプルアップ接続している。
【００８７】
このため、火災受信機１０の火災検出動作により移報リレーが動作して移報回路１１０の移報リレー接点１１２が閉じると、送信ユニット２０側からの回線電圧Ｖはゼロボルトに低下し、コンパレータ３４の出力がＨレベルに立ち上がり、ＭＰＵ３６の停止制御部３８の処理により停止制御信号を繰り返し無線送信させる。
【００８８】
また火災受信機１０の復旧操作により移報リレー接点１１２が開いて回線電圧Ｖがゼロボルトから電源電圧Ｖｃに回復すると、コンパレータ３４の出力がＬレベルに立ち下がり、ＭＰＵ３６の停止解除部４０により停止解除信号を繰り返し無線送信させる。
【００８９】
ここで、図１３の実施形態においても、送信ユニット２０以外の中継ユニット２２、受信ユニット２６、電源リレーユニット３０、カラオケ装置２８側の構成は、図１の実施形態と同じである。
【００９０】
なお、上記の実施形態は、発信機回線１６や移報回線１０８の信号状態から送信ユニット２０で火災受信機１０の警報動作と警報復旧動作を検出するようにしているが、本考案はこれに限定されず、火災受信機１０における警報動作と警報解除動作を検出できる手段であれば、適宜の手法を用いて、送信ユニット２０から停止制御信号または停止解除信号を無線送信することができる。
【００９１】
また本実施形態の送信ユニット２０、中継ユニット２２及び受信ユニット２６からなる無線回線また送信ユニット２０及び受信ユニット２６からなる無線回線については、火災受信機１０の火災警報動作時にのみ使用されるだけで、日常的には使用されない。そこで、送信ユニット２０にカラオケ装置２８に対する電源投入と切断を行う電源スイッチを設け、日常的な運用の際の施設開始時に送信ユニット２０の電源スイッチを操作することで、無線回線により電源リレーユニット３０を電源供給状態に制御し、施設終了時には送信ユニット２０に設けている電源スイッチをオフすることで電源リレーユニット３０を電源遮断状態に制御するといった日常的な使用を併用することが望ましい。
【００９２】
この日常的な無線回線によるカラオケ装置に対する電源供給の制御により、万一、火災受信機１０で火災警報動作が行われた際にも、日常的に正常に動作していることから、火災警報時にあっても無線回線を通じて確実にカラオケ装置に対する電源供給を遮断して、カラオケルームの利用者に聞こえるようにすることが可能となる。
【００９３】
また本考案はその目的と利点を損なうことのない適宜の変形を含み、更に上記の実施形態に示した数値による限定は受けない。
【図面の簡単な説明】
【００９４】
【図１】本考案によるカラオケ施設の火災報知システムの実施形態を示した説明図
【図２】図１の送信ユニットの実施形態を示したブロック図
【図３】図２の送信ユニットから送信する停止制御信号と停止解除信号のフォーマットを示した説明図
【図４】図１の中継ユニットの実施形態を示したブロック図
【図５】図１の受信ユニットの実施形態を示したブロック図
【図６】図２の送信ユニットによる送信処理を示したフローチャート
【図７】図４の中継ユニットによる中継処理を示したフローチャート
【図８】図４の中継ユニットによる他の中継処理を示したフローチャート
【図９】図５の受信ユニットによる受信処理を示したフローチャート
【図１０】本考案によるカラオケ施設の火災報知システムの他の実施形態を示した説明図
【図１１】図１０の送信ユニットの実施形態を示したブロック図
【図１２】図１０の送信ユニットによる他の送信処理を示したフローチャート
【図１３】本考案によるカラオケ施設の火災報知システムの他の実施形態を示した説明図
【図１４】図１３の送信ユニットの実施形態を示したブロック図
【符号の説明】
【００９５】
１０：火災受信機
１１，１５：回線端子
１２：感知器回線
１４：火災感知器
１６：発信機回線
１８：発信機
２０：送信ユニット
２２：中継ユニット
２４：カラオケルーム
２６：受信ユニット
２８：カラオケ装置
３０：電源リレーユニット
３２，３２ａ，３２ｂ：回線電圧検出部
３４：コンパレータ
３５：基準電圧源
３６，６４，８２：ＭＰＵ
３７：抵抗
３８：停止制御部
４０：停止解除部
４２，７０：エンコード回路
４４，７２：送信回路
４６，５８：アンテナ
４８，９０：電源部
５０，９２：電源パック
５２，７７，９４，１００：プラグ
５４：停止制御信号
５６：停止解除信号
６０，７８：受信回路
６２，８０：デコード回路
６６：中継処理部
６８：タイマ
７４：電池電源部
８４：電源遮断部
８６：電源復旧部
８８：リレー駆動回路
９６：リレー
９８：リレー接点
１０２：ディスプレイ
１０４：マイク
１０６ａ，１０６ｂ：移報端子
１０８：移報回線
１１０：移報回路
１１２：移報リレー接点
【図１】
0003141342.tif 000003
【図２】
0003141342.tif 000004
【図３】
0003141342.tif 000005
【図４】
0003141342.tif 000006
【図５】
0003141342.tif 000007
【図６】
0003141342.tif 000008
【図７】
0003141342.tif 000009
【図８】
0003141342.tif 000010
【図９】
0003141342.tif 000011
【図１０】
0003141342.tif 000012
【図１１】
0003141342.tif 000013
【図１２】
0003141342.tif 000014
【図１３】
0003141342.tif 000015
【図１４】
0003141342.tif 000016